【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
データ通信可能に接続された複数のコンピュータ端末から成るコンピュータネットワークに接続され、前記コンピュータ端末に対して構築されたコンテンツアプリケーションに基づくコンテンツを提供するサーバコンピュータと、該サーバコンピュータにアクセス可能とされ、前記コンテンツアプリケーションを構築するための操作端末と、から成り、
前記サーバコンピュータは、
前記コンテンツアプリケーションを構成する複数の各ページに該当し、当該ページの種別に対応するページアイコンを生成して、該生成したページアイコンを前記操作端末に配信するページアイコン生成手段と、
該ページアイコン生成手段にて生成されたページアイコンの選択操作に基づき、該選択されたページアイコンが対応するページの内容を、該選択されたページアイコンの種別に対応する所定のページ内容受付ページを前記操作端末に配信して受け付けるページ内容受付手段と、
前記各ページの連携指示を、前記ページアイコン生成手段にて生成された連携対象のページアイコンのドラッグアンドドロップ操作により受け付ける連携指示受付手段と、
該連携指示受付手段にて受付けた連携指示に基づき、連携対象となるページを特定し、該特定した双方のページに所定の連携処理を実施する連携処理手段と、
該連携処理手段にて連携処理された各ページから成るコンテンツアプリケーションの登録を受け付ける登録手段と、
を備えることを特徴とするコンテンツアプリケーション構築システム。
【請求項２】
前記コンピュータ端末が携帯電話を含み、前記コンテンツアプリケーションは、各携帯電話のサービス提供者に対応する複数のマークアップ言語に対応したコンテンツアプリケーションであって、
前記ページ内容受付ページは、各携帯電話のサービス提供者のマークアップ言語に対応する画像ファイルのファイル形式に関する情報を少なくとも有する案内情報を含む請求項１に記載のコンテンツアプリケーション構築システム。
【請求項３】
前記コンピュータ端末が携帯電話を含み、前記コンテンツアプリケーションは、各携帯電話のサービス提供者に対応する複数のマークアップ言語に対応したコンテンツアプリケーションであって、
前記ページ内容受付ページは、該ページ内容受付ページにおいて受け付けた文字数と各携帯電話のサービス提供者のマークアップ言語に対応した入力可能最大文字数とに基づく入力可能文字残数の情報を少なくとも有する案内情報を含む請求項１または２に記載のコンテンツアプリケーション構築システム。
【請求項４】
前記登録手段は、新たに構築するコンテンツアプリケーションを特定するための識別符号を発行し、該識別符号に対応付けてコンテンツアプリケーションを登録するとともに、前記識別符号或いは識別符号を特定可能な情報の受付に基づき、該受付けた識別符号にて特定されるコンテンツアプリケーションを構成する各ページのページアイコンを、各ページの連携態様を特定可能なツリー構造表示にて配信し、前記ページ内容受付手段、或いは前記連携指示受付手段と連携処理手段のいずれかによる修正を受付ける請求項１〜３のいずれかに記載のコンテンツアプリケーション構築システム。
【手続補正２】
【補正対象書類名】明細書
【補正対象項目名】０００７
【補正方法】変更
【補正の内容】
【０００７】
上記課題を解決するために、本発明の請求項１に記載のコンテンツアプリケーション構築システムは、
データ通信可能に接続された複数のコンピュータ端末から成るコンピュータネットワークに接続され、前記コンピュータ端末に対して構築されたコンテンツアプリケーションに基づくコンテンツを提供するサーバコンピュータと、該サーバコンピュータにアクセス可能とされ、前記コンテンツアプリケーションを構築するための操作端末と、から成り、
前記サーバコンピュータは、
前記コンテンツアプリケーションを構成する複数の各ページに該当し、当該ページの種別に対応するページアイコンを生成して、該生成したページアイコンを前記操作端末に配信するページアイコン生成手段と、
該ページアイコン生成手段にて生成されたページアイコンの選択操作に基づき、該選択されたページアイコンが対応するページの内容を、該選択されたページアイコンの種別に対応する所定のページ内容受付ページを前記操作端末に配信して受け付けるページ内容受付手段と、
前記各ページの連携指示を、前記ページアイコン生成手段にて生成された連携対象のページアイコンのドラッグアンドドロップ操作により受け付ける連携指示受付手段と、
該連携指示受付手段にて受付けた連携指示に基づき、連携対象となるページを特定し、該特定した双方のページに所定の連携処理を実施する連携処理手段と、
該連携処理手段にて連携処理された各ページから成るコンテンツアプリケーションの登録を受け付ける登録手段と、
を備えることを特徴としている。
この特徴によれば、前記操作端末において、サーバコンピュータにて生成されて表示されている各ページのページアイコンをドラッグアンドドロップ操作するのみで、各ページ間の連携が自動的に構築されるようになるため、これらコンテンツアプリケーションの構築の操作を視覚的かつ直感的に簡便に実施することができる。また、ページ内容を登録したい場合において、該登録したいページのページアイコンを選択操作することで、該選択したページアイコンのページ種別に対応する所定のページ内容受付ページが操作端末に表示されるようになるため、これらページ内容の登録をより簡便に実施することができる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明の請求項２に記載のコンテンツアプリケーション構築システムは、請求項１に記載のコンテンツアプリケーション構築システムであって、
前記コンピュータ端末が携帯電話を含み、前記コンテンツアプリケーションは、各携帯電話のサービス提供者に対応する複数のマークアップ言語に対応したコンテンツアプリケーションであって、
前記ページ内容受付ページは、各携帯電話のサービス提供者のマークアップ言語に対応する画像ファイルのファイル形式に関する情報を少なくとも有する案内情報を含むことを特徴としている。
また、本発明の請求項３に記載のコンテンツアプリケーション構築システムは、請求項１または２に記載のコンテンツアプリケーション構築システムであって、
前記コンピュータ端末が携帯電話を含み、前記コンテンツアプリケーションは、各携帯電話のサービス提供者に対応する複数のマークアップ言語に対応したコンテンツアプリケーションであって、
前記ページ内容受付ページは、該ページ内容受付ページにおいて受け付けた文字数と各携帯電話のサービス提供者のマークアップ言語に対応した入力可能最大文字数とに基づく入力可能文字残数の情報を少なくとも有する案内情報を含むことを特徴としている。
この特徴によれば、各携帯電話のサービス提供者のマークアップ言語に対応した案内情報をページ内容受付ページに含むことで、これら各携帯電話のサービス提供者のマークアップ言語の仕様等を逐次調査して確認する等の手間を省くとともに、一度入力した内容が不具合となってしまうことを事前に回避できる。
【手続補正６】
【補正対象書類名】明細書
【補正対象項目名】００１１
【補正方法】変更
【補正の内容】
【００１１】
本発明の請求項４に記載のコンテンツアプリケーション構築システムは、請求項1〜３のいずれかに記載のコンテンツアプリケーション構築システムであって、
前記登録手段は、新たに構築するコンテンツアプリケーションを特定するための識別符号を発行し、該識別符号に対応付けてコンテンツアプリケーションを登録するとともに、前記識別符号或いは識別符号を特定可能な情報の受付に基づき、該受付けた識別符号にて特定されるコンテンツアプリケーションを構成する各ページのページアイコンを、各ページの連携態様を特定可能なツリー構造表示にて配信し、前記ページ内容受付手段、或いは前記連携指示受付手段と連携処理手段のいずれかによる修正を受付けることを特徴としている。
この特徴によれば、前記識別符号或いは識別符号を特定可能な情報を入力することで、一度構築したコンテンツアプリケーションを簡便に変更することができるようになるばかりか、該識別符号を秘匿することで、第三者に不正にコンテンツアプリケーションを改竄されることも防止できる。
【手続補正７】
【補正対象書類名】明細書
【補正対象項目名】００３２
【補正方法】変更
【補正の内容】
【００３２】
このように、本実施例では、各携帯電話のサービス提供者のマークアップ言語に対応した案内情報として残り文字数を表示することで、あとどの程度の文字が入力できるのか、或いは、入力した文字数が規定の文字数を越えていないか（越えている場合には、図１４に示すように、マイナスの値が赤い文字にて表示される）を、各携帯電話会社５〜７毎に確認できることから好ましいが、本発明はこれに限定されるものではなく、これら案内情報として、その他の情報、例えば画像ファイルのファイル形式等の案内を表示しても良い。
【手続補正８】
【補正対象書類名】明細書
【補正対象項目名】００４６
【補正方法】変更
【補正の内容】
【００４６】
また、前記実施例では、受付けた種別のオブジェクト（ページ）の詳細な内容を、オブジェクト内容受付ページとしての前記詳細設定画面を配信して受け付けるようにしており、このようにすることは、これらオブジェクト内容の登録をより簡便に実施することができることから好ましい。
【手続補正９】
【補正対象書類名】明細書
【補正対象項目名】００４８
【補正方法】変更
【補正の内容】
【００４８】
また、本実施例では、受信者のコンピュータ端末を携帯電話としているが、本発明はこれに限定されるものではなく、これら携帯電話に加えて前記インターネット網に接続可能な通常のパソコンやＰＤＡ端末等であっても良い。